(57)【要約】【課題】  ダイブロックからのダイの叩き出し及びダイ支持装置の冷却、洗浄が容易に行える圧造成形機におけるダイ支持装置を得ること。【解決手段】  ダイ嵌入孔２ａを有するダイブロック２と、ダイ嵌入孔２ａの奥部に内装されるスペーサ４と、ダイ嵌入孔２ａにその前端口より抜き差し可能に嵌合されるダイ５と、ダイ５を嵌合位置に固定する固定ボルト６と、スペーサ４とダイ５の軸心部に摺動自在に配設されるノックアウトピン８とを備えた圧造成形機におけるダイ支持装置であって、ダイブロック２のダイ５とスペーサ４とが接合する個所で、ダイ５の軸心と上下に直交する部位に上側貫通孔２ｃと下側貫通孔２ｄを形成した。【選択図】  図１
2006015401.tif 000002
【特許請求の範囲】
【請求項１】
ダイ嵌入孔を有するダイブロックと、ダイ嵌入孔の奥部に内装されるスペーサと、ダイ嵌入孔にその前端口より抜き差し可能に嵌合されるダイと、ダイを嵌合位置に固定する固定手段と、スペーサとダイの軸心部に摺動自在に配設されるノックアウトピンとを備えた圧造成形機におけるダイ支持装置であって、ダイブロックのダイとスペーサとが接合する個所でダイの軸心と上下に直交する部位に上側貫通孔と下側貫通孔を形成したことを特徴とする圧造成形機におけるダイ支持装置。
【請求項２】
ダイのスペーサと接合する個所にダイブロックの上側貫通孔と下側貫通孔とに連通する連通凹部を形成したことを特徴とする請求項１に記載の圧造成形機におけるダイ支持装置。
【請求項３】
ダイのスペーサと接合する端部近くで、該ダイの軸心と上下に直交する上面位置に上側貫通孔と連通する嵌合凹所を設ける一方、上貫通孔と嵌合凹所とに嵌まり込んでダイのダイブロックからの抜け出しを阻止する頭付ロックピンを備え、かつ、該頭付ロックピンの破断力がノックアウトピンの破断力より大きくなるように頭付ロックピンの先端ピン部分の軸径を設定したことを特徴とする請求項１に記載の圧造成形機におけるダイ支持装置。
【請求項４】
頭付ロックピンの嵌合凹所への嵌合の有無を検出する検出手段を設けると共に、頭付ロックピンの非嵌合時、検出手段から出力される電気信号により機械が稼働しないように制御する制御手段を備えていることを特徴とする請求項３に記載の圧造成形機におけるダイ支持装置。
【発明の詳細な説明】
【技術分野】
【０００１】    本発明は、圧造成形機において、ダイを交換や保守点検などのため抜き出したり挿入したりできるようにした圧造成形機におけるダイ支持装置に関する。
【背景技術】
【０００２】  従来、たとえばボルトやナット等のパーツ類を圧造する圧造成形機のダイ支持装置では、ダイがダイブロックのダイ嵌入孔に抜き差し可能に嵌合される一方、ダイブロックの先端部に固定ボルトが螺合貫通され、このボルト先端部にてダイの先端側周面に形成された切欠部を押圧することによりダイをダイブロックに取り付けるように構成されている。【０００３】  そして、ダイはパンチによる強打力を間断なく受けることから摩損損傷が激しく、そのため所定時間使用後に新しいものと交換する必要がある。また、ダイを交換するにあたっては、固定ボルトを緩めたうえで、ダイを掴んでそのままダイブロックから引き出すようにしている。
【特許文献】    実公平７−１９６４１号  公報
【発明の開示】
【発明が解決しようとする課題】
【０００４】  ところで、上記した圧造成形機のダイ支持装置によれば、ダイはパンチによる強打力を間断なく受けることによりダイブロックとの間で焼き付いて抜き出しが困難になったりすることがあり、また、固定ボルトによりダイをダイブロックに取り付ける際、固定ボルトを強力に締め付けることによっても、ダイとダイブロックとの間で焼き付きが発生することがあった。これにより、ダイの交換や保守点検の際の作業に支障が生じることがあった。【０００５】  また、ダイの軸心部に摺動自在に設けられるノックアウトピンにより成形された素材をダイから外部に蹴り出す際、固定ボルトとダイロックの螺合部分との間にノックアウトピンによる水平方向の蹴り出し力が斜め押上力として作用するため、その螺合部分が傷むといった問題も有していた。【０００６】  そこで、本発明の課題は、ダイブロックからのダイの抜き出しが容易に行え、かつ、ダイ支持装置の冷却、洗浄も容易に行える圧造成形機におけるダイ支持装置を提供することにある。【０００７】  また、他の課題は、ダイのダイブロックへの固定が確実に行え、しかも、固定ボルトとダイロックの螺合部分にノックアウトピンによる水平方向の蹴り出し力が固定ボルトとダイロックの螺合部分に作用するのを阻止して螺合部分に傷みが発生するのを防止できる圧造成形機におけるダイ支持装置を提供することにある。
【課題を解決するための手段】
【０００８】  上記課題を解決するため、本願の請求項１に記載の発明は、ダイ嵌入孔を有するダイブロックと、ダイ嵌入孔の奥部に内装されるスペーサと、ダイ嵌入孔にその前端口より抜き差し可能に嵌合されるダイと、ダイを嵌合位置に固定する固定手段と、スペーサとダイの軸心部に摺動自在に配設されるノックアウトピンとを備えた圧造成形機におけるダイ支持装置であって、ダイブロックのダイとスペーサとが接合する個所でダイの軸心と上下に直交する部位に上側貫通孔と下側貫通孔を形成したことを特徴とする。【０００９】  また、本願の請求項２に記載の発明は、上記した請求項１に記載のダイ支持装置の構成において、ダイのスペーサと接合する個所にダイブロックの上側貫通孔と下側貫通孔とに連通する連通凹部を形成したことを特徴とする。【００１０】  また、本願の請求項３に記載の発明は、上記した請求項１に記載のダイ支持装置の構成において、ダイのスペーサと接合する端部近くで、該ダイの軸心と上下に直交する上面位置に上貫通孔と連通する嵌合凹所を設ける一方、上貫通孔と嵌合凹所とに嵌まり込んでダイのダイブロックからの抜け出しを阻止する頭付ロックピンを備え、かつ、該頭付ロックピンの破断力がノックアウトピンの破断力より大きくなるように頭付ロックピンの先端ピン部分の軸径を設定したことを特徴とする。【００１１】  さらに、本願の請求項４に記載の発明は、上記した請求項３に記載のダイ支持装置の構成に加えて、頭付ロックピンの嵌合凹所への嵌合の有無を検出する検出手段を設けると共に、頭付ロックピンの非嵌合時、検出手段から出力される電気信号により機械が稼働しないように制御する制御手段を備えていることを特徴とする。
【発明の効果】
【００１２】  上記した構成によれば、ダイの交換などによりダイブロックからダイを取り出すとき、ダイブロックの上側貫通孔から適宜叩き出し部材を差込み、この叩き出し部材を叩いてダイをダイブロックから叩き出すことにより、ダイブロックに焼き付いたダイを容易にダイブロックから抜き出すことができる。また、たとえばダイブロックからダイを抜き出したり、嵌め合いを緩めた状態でダイブロックの上側貫通孔から冷却液や洗浄液を注入或いは噴射し、下側貫通孔から冷却液や洗浄液を排出することができるので、ダイ支持装置内部の冷却や洗浄を容易に行うことができる。【００１３】  また、ダイのスペーサと接合する個所にダイブロックの上側貫通孔と下側貫通孔とに連通する連通凹部を形成すれば、ダイの交換などによりダイブロックからダイを取り出すとき、ダイブロックの上側貫通孔からダイの貫通凹部の奥側に適宜叩き出し部材を差込み、この叩き出し部材を叩いてダイブロックに焼き付いたダイを簡単容易に叩き出すことができる。また、ダイブロックの上側貫通孔から冷却液や洗浄液を直接注入又は噴射するだけで、ダイの貫通凹部を介して下側貫通孔から冷却液や洗浄液を排出することができるので、ダイ支持装置内部の冷却や洗浄を迅速容易に行うことができる。その上、ダイブロックの上側貫通孔及びダイの貫通凹部から直接セットスクリューを挿入して、ノックアウトピンのセットネジを緩めることが可能となり、これにより、ノックアウトピンをダイの前方側に移動させることによりノックアウトピンのみをダイから抜き出すことが可能となり、新たなノックアウトピンに簡単迅速に交換することができる。【００１４】  また、ダイのスペーサと接合する端部近くで、該ダイの軸心と上下に直交する上面位置に上側貫通孔と連通する嵌合凹所を設ける一方、上側貫通孔と嵌合凹所とに嵌まり込んでダイのダイブロックからの抜け出しを阻止する頭付ロックピンを設けるようにすれば、頭付ロックピンによりノックアウトピンによる水平方向の蹴り出し力をダイを介して直角に受圧することができ、したがって、頭付ロックピンはノックアウトピンによる水平方向の蹴り出し力に対し強く確実に受圧することができる。その結果、固定ボルトとダイロックの螺合部分にノックアウトピンによる水平方向の蹴り出し力が固定ボルトとダイロックの螺合部分に斜め押上力として作用するのを抑えて螺合部分に傷みが発生するのを防止できる。【００１５】  さらに、頭付ロックピンを設けるに際し、頭付ロックピンの嵌合凹所への嵌合の有無を検出する検出手段を設けると共に、頭付ロックピンの非嵌合時、検出手段から出力される電気信号により機械が稼働しないように制御する制御手段を設けるようにすれば、頭付ロックピンを付け忘れた状態での機械の稼働を防止できる。
【発明を実施するための最良の形態】
【００１６】  以下、本発明の実施の形態を図に基づいて説明する。
図１は本発明に係る圧造成形機のダイ支持装置１を示し、図において２は機台フレーム３の前部に一体的に取り付けられるダイブロックで、ダイブロック２は水平方向に貫通するダイ嵌入孔２ａを備えている。４はダイ嵌入孔２ａの奥部に内装される荷受け用の筒状スペーサ、５はダイ嵌入孔２ａにその前端口より抜き差し可能に嵌合されるダイで、複数の部材により結合構成され軸心部には後述するノックアウトピンと中間軸の摺動を許す前後に貫通した大小軸孔５ａ，５ｂが形成されている。６はダイブロック２の先端部に設けられる螺子孔部２ｂに螺合貫通され、先端部にてダイ４の先端側外周面に形成された切欠部５ｃを押圧してダイ５をダイブロック２に圧接固定する固定ボルトである。７は固定ボルト６の頭部外周に形成された凹凸部６ａに係脱可能に係合して固定ボルト６の緩みを阻止する阻止体である。また、機台フレーム３とスペーサ４とダイ５の軸心部にはノックアウトピン８とノックアウトピン８をセットネジ９を介して着脱可能に保持する中間軸１０を摺動自在に配設している。Ｐはダイ５に対して進退動するパンチであり、Ａは素材である。なお、図に示す実施の形態では、ダイ５は複数の部材により構成されているが一体ものであってもよい。【００１７】  そして、以上のように構成するダイ支持装置１におけるダイ５のスペーサ４との接合個所に上下方向に貫通する貫通凹部５ｄを形成する一方、ダイブロック２にダイの貫通凹部５ｄの上方開口部と連通する段付きの上側貫通孔２ｃと、貫通凹部５ｄの下方開口部と連通する下側貫通孔２ｄを設けたのである。ダイ５の貫通凹部５ｄはたとえば平面視方形状の凹溝によって形成される。【００１８】  次に、本実施の形態の作用について説明する。【００１９】  ダイブロック２にダイ１を取り付ける場合は、図２に示すように阻止体７を固定ボルト６から外し、固定ボルト６を緩めた状態で、ダイ５をダイ嵌入孔２ａからスペーサ４に当接するまで差込む。その後、固定ボルト６を回動してその先端をダイ５の切欠部５ｃに圧接することによって、ダイ５をダイブロック２に取り付ける。然る後、固定ボルト６に阻止体７を係合させて固定ボルト６の緩みを阻止する。【００２０】  一方、ダイブロック２に組み付けたダイ５を交換する場合には、図２に示すように阻止体７を固定ボルト６から外し、固定ボルト６を緩めた状態で、ダイブロック２の上側貫通孔２ｃからダイ５の貫通凹部５ｄに棒状の叩き出し部材Ｔを差込み、叩き出し部材Ｔを叩いてダイ５をダイブロック２から叩き出すのである。これにより、ダイ嵌入孔２ａとダイ５との間で焼き付きなどが発生していることがあってもダイ５をダイ嵌入孔２ａから容易に抜き出すことができ、ダイ５の交換やダイ５を外してのダイ支持装置１の保守点検作業が容易となる。【００２１】  また、ダイ５とスペーサ４との接合個所において上下方向に貫通する貫通凹部５ｄが形成されると共に、ダイブロック２に貫通凹部５ｄと連通する上下貫通孔２ｃ，２ｄが形成されているので、ダイブロック２の上側貫通孔２ｃから冷却液や洗浄液をダイ支持装置１内に直接注入又は噴射して、ダイ５の貫通凹部５ｄを介して下側貫通孔２ｄから冷却液や洗浄液を排出することができ、これによりダイ支��装置１内部の冷却や内部に蓄積するボンデ、フィンの汚れなどの洗浄を迅速容易に行うことができる。【００２２】  さらに、中間軸１０にセットしたノックアウトピン８を損傷などにより交換する場合、図１に示すように上側貫通孔２ｃ及び貫通凹部５ｄからセットスクリューＳを挿入して、ノックアウトピン８のセットネジ９を緩めることが可能であり、したがって中間軸１０からノックアウトピン８を外したうえで、ダイ５の前方側にノックアウトピン８を移動させることによりノックアウトピン８をダイ５から抜き出すことが可能となり、新たなノックアウトピン８に簡単迅速に交換することができる。【００２３】  図３〜図５は、別の実施の形態を示すもので、基本構成が先に説明した実施の形態と同様としたダイ支持装置１において、ダイブロック２のダイ５とスペーサ４とが接合する個所でダイ５の軸心と上下に直交する部位に上側貫通孔２ｃと下側貫通孔２ｄを形成すると共に、ダイ２のスペーサ４と接合する端部近くで、ダイ２の軸心と上下に直交する上面位置に上側貫通孔２ｃと連通する嵌合凹所５ｅを設ける一方、上側貫通孔２ｃと嵌合凹所５ｅとに嵌まり込んでダイ５のダイブロック２からの抜け出しを阻止する頭付ロックピン１１を設けたのである。
なお、ダイ支持装置１の基本構成は先に説明した実施の形態と同様であるので同じ符号のみを図面に付記し、その説明については省略する。【００２４】  ダイ５のスペーサ４との接合個所の上部には、くさび部材１４によりダイ５をダイブロック２から叩き出すためのくさび用凹部５ｆを形成している。【００２５】  頭付ロックピン１１の嵌合凹所５ｅに嵌入する先端ピン１１ａ部分の破断力がノックアウトピン８の破断力より大きくなるように先端ピン１１ａ部分の軸径が設定されている。【００２６】  また、上側貫通孔２ｃの内壁部に頭付ロックピン１１の嵌合凹所５ｅへの嵌合の有無を検出する検出センサー１２を設けると共に、頭付ロックピン１１の非嵌合時、検出センサー１２から出力される電気信号により機械が稼働しないように制御する制御装置１３を設けている。【００２７】  頭付ロックピン１１の上面には、ネジ棒などの適宜治具を用いてダイブロック２の上側貫通孔２ｃとダイ５の嵌合凹所５ｅから引き抜くためのネジ孔１１ｂが形成されている。なお、頭付ロックピン１１の引抜手段としては、ネジ孔１１ｂとネジ棒とに限られるものではなく、別の引抜手段であってもよい。【００２８】  次に、本実施の形態の作用について説明する。【００２９】  まず、ダイブロック２にダイ１を取り付ける場合は、図５に示すように阻止体７を固定ボルト６から外し、固定ボルト６を緩めた状態で、ダイ５をダイ嵌入孔２ａからスペーサ４に当接するまで差込む。次に、頭付ロックピン１１をダイブロック２の上側貫通孔２ｃとダイ５の嵌合凹所５ｅとに嵌まり込ませて、ダイ５のダイブロック２からの抜け出しを阻止する一方、固定ボルト６を回動してその先端をダイ５の切欠部５ｃに圧接することによって、ダイ５をダイブロック２に取り付ける。その後、固定ボルト６に阻止体７を係合させて固定ボルト６の緩みを阻止する。【００３０】  斯かるダイ５のダイブロック２への取り付けによれば、固定ボルト６による締め付け固定に加えて、頭付ロックピン１１のダイブロック２の上側貫通孔２ｃとダイ５の嵌合凹所５ｅへの嵌合により、ダイ５のダイブロック２からの抜け出しを確実に阻止できる。その場合、特に頭付ロックピン１１の先端ピン１１ａはノックアウトピン８による水平方向の蹴り出し力をダイ５を介して直角に受圧することになる。したがって、頭付ロックピン１１はノックアウトピン８による水平方向の蹴り出し力に対し強く確実に受圧することが可能となり、その結果、固定ボルト６とダイロック２の螺合部分にノックアウトピン８による水平方向の蹴り出し力が斜め押上力として作用するのを抑えて螺合部分に傷みが発生するのを効果的に防止できる。【００３１】  一方、ダイブロック２に組み付けたダイ５を交換する場合には、図５に示すように、まず、頭付ロックピン１１をネジ棒などの適宜治具を用いてダイブロック２の上側貫通孔２ｃとダイ５の嵌合凹所５ｅから引き抜くと共に、阻止体７を固定ボルト６から外して固定ボルト６を緩める。次に、その状態のもとで、ダイブロック２の上側貫通孔２ｃからダイ５のくさび用凹部５ｆにくさび部材１４を叩き出し部材として差込み、くさび部材１４を叩いてダイ５をダイブロック２から抜き出すのである。これにより、��イ嵌入孔２ａとダイ５との間で焼き付きなどが発生していることがあってもダイ５をダイ嵌入孔２ａから容易に抜き出すことができ、ダイ５の交換やダイ５を外してのダイ支持装置１の保守点検作業が容易となる。【００３２】  また、ダイブロック２には、ダイ５とスペーサ４との接合個所の上下において上側及び下側貫通孔２ｃ，２ｄが設けられているので、たとえばダイブロック２からダイ５を抜き出したり、嵌め合いを緩めた状態でダイブロック２の上側貫通孔２ｃから冷却液や洗浄液をダイ支持装置１内に注入或いは噴射して下側貫通孔２ｄから冷却液や洗浄液を排出することができ、これによりダイ支持装置１内部の冷却や内部に蓄積するボンデ、フィンの汚れなどの洗浄を行うことができる。【００３３】  さらに、中間軸１０にセットしたノックアウトピン８を損傷などにより交換する場合、頭付ロックピン１１をダイブロック２の上側貫通孔２ｃとダイ５の嵌合凹所５ｅから引き抜くと共に、ダイブロック２からダイ５を抜き出したり、嵌め合いを緩めた状態で図５に示すように上側貫通孔２ｃからセットスクリュー１５を挿入して、ノックアウトピン８のセットネジ９を緩めることが可能となる。したがって、中間軸１０からノックアウトピン８を外したうえで、ダイ５の前方側にノックアウトピン８を移動させることによりノックアウトピン８をダイ５から抜き出すことが可能となり、新たなノックアウトピン８に簡単迅速に交換することができる。その上、ノックアウトピン８としてストレートのピンを用いることができるので、パンチの殴打力をストレートに受圧できて金型寿命もよくできる。【００３４】  また、頭付ロックピン１１を設けるに際し、頭付ロックピン１１の嵌合凹所５ｅへの嵌合の有無を検出する検出センサー１２を設けると共に、頭付ロックピン１１の非嵌合時、検出センサー１２から出力される電気信号により機械が稼働しないように制御する制御装置１４を設けているので、頭付ロックピン１１を付け忘れた状態での機械の稼働を防止できる。【００３５】  以上の実施の形態では、ダイ５のスペーサ４との接合部分にくさび用凹書所５ｆを特別に形成したけれども、必ずしも形成する必要はなく端部に形成される面取り部分を利用するようにしてもよいことは勿論である。
【図面の簡単な説明】
【００３６】
【図１】  本発明の実施形態を示すダイ支持装置の縦断面図である。
【図２】  同ダイの交換状態を示す説明図である。
【図３】  別の実施形態を示すダイ支持装置の縦断面図である。
【図４】  同要部の平面図である。
【図５】  同ダイの交換状態を示す説明図である。
【符号の説明】
【００３７】  １              ダイ支持装置
２              ダイブロック
２ａ            ダイ嵌入孔
２ｃ            上側貫通孔
２ｄ            下側貫通孔
４              スペーサ
５              ダイ
５ｄ            貫通凹部
５ｅ            嵌合凹所
６              固定ボルト
８              ノックアウトピン
１１            頭付ロックピン
１２            検出センサー
１３            制御装置
【図１】
2006015401.tif 000003
【図２】
2006015401.tif 000004
【図３】
2006015401.tif 000005
【図４】
2006015401.tif 000006
【図５】
2006015401.tif 000007